【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
データ放送のデータを受信する受信手段と、
前記データに基づいて、表示部の第１の表示エリアに、所定の項目であるフォーカス項目を強調表示させるとともに、前記フォーカス項目以外の項目を通常表示させる第１の表示制御手段と、
前記データに基づいて、前記第１の表示エリア内の前記フォーカス項目に対応する情報を、前記表示部の第２の表示エリアに表示させる第２の表示制御手段と、
前記フォーカス項目を自動で遷移させる自動遷移モードと、ユーザの操作に応じて前記フォーカス項目を決定する通常モードのいずれかを選択する選択手段と、
前記第１の表示エリアに表示される複数の前記項目のうちのいずれかを前記フォーカス項目に決定する決定手段と
を備え、
前記決定手段は、前記選択手段により前記自動遷移モードが選択された場合、前記第１の表示エリアに表示される複数の前記項目の各項目を順に前記フォーカス項目に決定する
表示制御装置。
【請求項２】
前記データは、前記項目の表示位置を表すデータである表示位置データを含み、
前記決定手段は、前記表示位置データに基づいて、前記第１の表示エリアに表示される複数の前記項目の各項目を表示位置の順に前記フォーカス項目に決定する
請求項１に記載の表示制御装置。
【請求項３】
前記データは、前記ユーザの操作と、その操作に応じて前記フォーカス項目に決定される項目とを対応付けたデータである対応データを含み、
前記決定手段は、前記第１の表示エリアに表示される複数の前記項目のうちの前記対応データに含まれる項目を順に前記フォーカス項目に決定する
請求項１に記載の表示制御装置。
【請求項４】
前記データは、前記項目が前記フォーカス項目に決定された場合に表示対象とする画面を特定するデータである画面特定データと、各画面の前記第１の表示エリアに表示される項目の表示に関するデータである項目データを含み、
前記決定手段はまた、前記選択手段により前記自動遷移モードが選択された場合、表示中の画面の前記第１の表示エリアに表示される項目の画面特定データに基づいて、その画面特定データで特定される画面を新たな表示対象の画面に決定し、
前記第１の表示制御手段は、前記決定手段により決定された前記新たな表示対象の画面の前記項目データと、前記決定手段により決定された前記フォーカス項目とに基づいて、前記第１の表示エリアに、前記フォーカス項目を強調表示させるとともに、前記フォーカス項目以外の項目を通常表示させる
請求項１に記載の表示制御装置。
【請求項５】
前記決定手段は、前記選択手段により前記自動遷移モードが選択された場合、前記表示部に表示されている画面の前記第１の表示エリアに表示される複数の前記項目の各項目を順に前記フォーカス項目に決定し、その後、前記新たな表示対象の画面を決定する
請求項４に記載の表示制御装置。
【請求項６】
前記決定手段は、前記選択手段により前記自動遷移モードが選択された場合、前記表示中の画面の前記第１の表示エリアに表示される項目の画面特定データに対応する各画面を順に前記新たな表示対象の画面に決定し、その後、表示中の画面の前記第１の表示エリアに表示される複数の前記項目の各項目を順に前記フォーカス項目に決定する
請求項４に記載の表示制御装置。
【請求項７】
前記決定手段は、前記選択手段により前記自動遷移モードが選択された場合、所定の時間ごとに、前記第１の表示エリアに表示される複数の前記項目の各項目を順に前記フォーカス項目に決定する
請求項１に記載の表示制御装置。
【請求項８】
前記データは、BML（Broadcast Markup Language）で記述されたデータである
請求項１に記載の表示制御装置。
【請求項９】
データ放送のデータを受信する表示制御装置が、
前記データに基づいて、表示部の第１の表示エリアに、所定の項目であるフォーカス項目を強調表示させるとともに、前記フォーカス項目以外の項目を通常表示させる第１の表示制御ステップと、
前記データに基づいて、前記第１の表示エリア内の前記フォーカス項目に対応する情報を、前記表示部の第２の表示エリアに表示させる第２の表示制御ステップと、
前記フォーカス項目を自動で遷移させる自動遷移モードと、ユーザの操作に応じて前記フォーカス項目を決定する通常モードのいずれかを選択する選択ステップと、
前記第１の表示エリアに表示される複数の前記項目のうちのいずれかを前記フォーカス項目に決定する決定ステップと
を含み、
前記決定ステップでは、前記選択ステップの処理により前記自動遷移モードが選択された場合、前記第１の表示エリアに表示される複数の前記項目の各項目を順に前記フォーカス項目に決定する
表示制御方法。
【請求項１０】
コンピュータに、
データ放送のデータに基づいて、表示部の第１の表示エリアに、所定の項目であるフォーカス項目を強調表示させるとともに、前記フォーカス項目以外の項目を通常表示させる第１の表示制御ステップと、
前記データに基づいて、前記第１の表示エリア内の前記フォーカス項目に対応する情報を、前記表示部の第２の表示エリアに表示させる第２の表示制御ステップと、
前記フォーカス項目を自動で遷移させる自動遷移モードと、ユーザの操作に応じて前記フォーカス項目を決定する通常モードのいずれかを選択する選択ステップと、
前記第１の表示エリアに表示される複数の前記項目のうちのいずれかを前記フォーカス項目に決定する決定ステップと
を含み、
前記決定ステップでは、前記選択ステップの処理により前記自動遷移モードが選択された場合、前記第１の表示エリアに表示される複数の前記項目の各項目を順に前記フォーカス項目に決定する
処理を実行させるためのプログラム。
【手続補正２】
【補正対象書類名】明細書
【補正対象項目名】００８２
【補正方法】変更
【補正の内容】
【００８２】
一方、ステップＳ４０で値Ｎが最大値Ｎｍａｘより大きいと判定された場合、ステップＳ４１において、自動遷移部３２は、項目＃Ｘをフォーカス項目に決定する。そして、自動遷移部３２は、その項目＃Ｘのフォーカス指定情報を項目エリア部３４に供給する。
【手続補正３】
【補正対象書類名】明細書
【補正対象項目名】００９０
【補正方法】変更
【補正の内容】
【００９０】
なお、図８の自動遷移モード処理では、表示中のデータ放送画面５０内のフォーカス可能な項目が左上から順にフォーカス項目とされたが、フォーカス項目とされる順序はこれに限定されない。項目の表示に関するBML文書には、表示位置を表す情報が記述されているため、表示位置の順にフォーカス項目を遷移させることができる。
【手続補正４】
【補正対象書類名】明細書
【補正対象項目名】０１４２
【補正方法】変更
【補正の内容】
【０１４２】
ここで、データ放送画面１０１の遷移先は存在しないので、第４に、データ放送画面１０１内のフォーカス項目が遷移し、第５に、表示対象が、データ放送画面１０１から、データ放送画面１０１の遷移元であるデータ放送画面９１へ遷移する。そして、データ放送画面９１の遷移先であるデータ放送画面１０１への遷移は既に行われており、他の遷移先は存在しないので、第６に、データ放送画面９１内のフォーカス項目が遷移する。
【手続補正５】
【補正対象書類名】明細書
【補正対象項目名】０１４５
【補正方法】変更
【補正の内容】
【０１４５】
以上のように、図１２の自動遷移モード処理によれば、データ放送画面の遷移が優先的に行われ、その後、表示中のデータ放送画面内のフォーカス項目が遷移される。その結果、ユーザは、現在表示中のデータ放送画面内のフォーカス項目に対応する情報だけでなく、そのフォーカス項目によって遷移されるデータ放送画面も見ることができる。
【手続補正６】
【補正対象書類名】明細書
【補正対象項目名】０１４６
【補正方法】変更
【補正の内容】
【０１４６】
なお、上述した説明では、BMLブラウザ部１７は、図２に示したようにフォーカス項目のみを遷移させる機能、または、図９に示したようにフォーカス項目とデータ放送画面の両方を遷移させる機能のいずれか一方を有するものとしたが、BMLブラウザ部１７は、両方の機能を有するようにしてもよい。この場合、テレビジョン受像機１０は、例えばユーザの入力部１８（図１）の操作に応じて、その両方の機能のうちのいずれの機能を使用するかを選択する。